(57)【要約】【課題】種々の光ファイバケーブル類に対応できる光接続箱の光ファイバケーブル保持具を提供する。【解決手段】硬芯テンションメンバ用保持部を備えるクランプ枠部２をクランプ本体１の前面に着脱自在に設けるとともに、該クランプ枠部２と前記クランプ本体１との間に光ファイバコード保持用パッキンを保持可能とする。また、クランプ本体１に軟芯テンションメンバ用保持部を設けたものとする。これにより、種々の光ファイバケーブル類を光接続箱に入出線する際に的確に保持でいるものであり、部品点数を少なくできるばかりでなく、光ファイバケーブル類の変更にも容易に対応できるものである【選択図】　　図１
2004012691.tif 000002
【特許請求の範囲】
【請求項１】
硬芯テンションメンバ用保持部を備えるクランプ枠部をクランプ本体の前面に着脱自在に設けるとともに、該クランプ枠部と前記クランプ本体との間に光ファイバコード保持用パッキンを保持可能としたことを特徴とする光接続箱の光ファイバケーブル保持具。
【請求項２】
クランプ本体に軟芯テンションメンバ用保持部を設けたことを特徴とする請求項１に記載の光接続箱の光ファイバケーブル保持具。
【発明の詳細な説明】
【０００１】
【発明の属する技術分野】
本発明は、硬芯テンションメンバを配した光ファイバケーブル、軟芯テンションメンバを配した光ファイバケーブル、光ファイバコード等の光ファイバケーブル類を光接続箱に入出線する際に保持するために使用する光接続箱の光ファイバケーブル保持具に関するものである。
【０００２】
【従来の技術】
従来の光接続箱の光ファイバケーブル保持具は入出線する光ファイバケーブル類の種類に応じた専用の保持具により保持するのを普通としていた。例えば、図５に示すように、接続箱１００に入出線させる硬芯質テンションメンバを配した光ファイバケーブル１０１は光接続箱１００の入出線口に設けたケーブル押さえ１０２に保持させたうえ露出させた硬芯テンションメンバ１０１ａを光接続箱の上部に設けたテンションバクランプ１０３に保持させていた。また、光ファイバコード１０５は入出線口に設けたコード保持用パッキン１０７に嵌合したうえ該コード保持用パッキン１０７を保持金具１０６に保持させて入出線させるものであった。
【０００３】
【発明が解決しようとする課題】
ところが、光ファイバケーブル類は種々のものが使用されているため、入出線する光ファイバケーブル類の種類に応じた専用の保持具を用意しなければならず、部品点数が多くなるうえ交換作業に手数を要する問題があった。そこで、種々の光ファイバケーブル類に対応できる光接続箱の光ファイバケーブル保持具が待望されていた。
【０００４】
【課題を解決するための手段】
前記のような待望に応えてなされた本発明の光接続箱の光ファイバケーブル保持具は、硬芯テンションメンバ用保持部を備えるクランプ枠部をクランプ本体の前面に着脱自在に設けるとともに、該クランプ枠部と前記クランプ本体との間に光ファイバコード保持用パッキンを保持可能としたことを特徴とするものを請求項１に記載の発明とし、この発明において、クランプ本体に軟芯テンションメンバ用保持部を設けたものを請求項２に記載の発明とする。
【０００５】
【発明の実施の形態】
次に、本発明の好ましい実施の形態を示す。
１はクランプ本体であり、該クランプ本体１は横長四角形状のベース板１１に光接続箱１００への取付ねじ挿通用の取付孔１２を両側下方に設けるとともに中央部の上方に横方向に一対のねじ孔１３、１３を同じく下方に横方向に一対のねじ孔１４、１４を設けたものである。また、該クランプ本体１の両側上部には次記するクランプ枠部２を着脱自在に設ける一手段としてのねじ孔１５、１５が設けられているうえ表裏面の中央に縦溝１６が設けられている。さらに、該クランプ本体１の一側上部にはねじ孔付きアース端子部１７が張設されている。
【０００６】
２は前記クランプ本体１の前面に着脱自在に設けるクランプ枠部であり、該クランプ枠部２は前板部２１の両側後部に連設した腕板部２２，２２の外側に前記クランプ本体１の両側上部のねじ孔１５に臨むねじ挿通孔２３ａ付きの取付片部２３，２３を折曲形成したものである。また、前板部２１の中央に上下に前記縦溝１６に臨むねじ孔２４，２４を硬芯テンションメンバ用保持部として設けているうえ該クランプ枠部２と前記クランプ本体１との間には光ファイバコード保持用パッキン３を保持可能としている。そして、該クランプ枠部２は取付片部２３をクランプ本体１の両側上部に当接して止めねじによりクランプ本体１の前面に着脱自在に設けられている。なお、クランプ枠部２は前板部２１の横幅をクランプ本体１の横幅より広くしてその取付片部２３を光接続箱に着脱自在に取り付けたものとしてクランプ本体１の前面に着脱自在に設けらたものとしてもよい。また、クランプ枠部２の腕板部２２及び取付片部２３は左右いずれかのみに設けたものであってもよく、テンションメンバ用保持部は前板部２２内側より縦溝１６に向かって突出する突起であってもよい。さらに、光ファイバコード保持用パッキンはその形状を限定するものではなく、例えば、平板状のゴムを積層したものであってもよい。
【０００７】
このように構成されたものは、クランプ本体１が横長四角形状のベース板１１に光接続箱１００への取付ねじ挿通用の取付孔１２を両側下方に設けたものであるから、表裏を逆にして図１に示すように光接続箱１００の左右下方に設けた入線口と出線口の上部に夫々光接続箱１００の下方に設けたクランプ本体１の保持段部１００ａに保持したうえ取付孔１２に取付ねじ５０を挿通したうえ光接続箱１００の設けたねじ孔に螺合して取り付けるものである。そして、これに保持する光ファイバケーブル類の種類に応じて、クランプ本体１の前面に着脱自在に設けるクランプ枠部２を使用したり，使用せずに光ファイバケーブル類を保持させるものである。
【０００８】
すなわち、硬芯テンションメンバを配した光ファイバケーブル４１を入出線させる場合には、この硬芯テンションメンバを配した光ファイバケーブル４１は硬芯テンションメンバ４１ａを保持するだけで強固に保持することができるので、図２に左下方に示すようにケーブルから露出させた硬芯テンションメンバ４１ａをクランプ本体１とクランプ枠部２の間に前記前板部２１の中央に上下に設けたねじ孔２４，２４に臨ませたうえ該ねじ孔２４にねじ５１を螺合して該ねじ５１の先端面とクランプ本体１との間に挟持して該硬芯テンションメンバ４１ａを保持するものである。なお、この場合にクランプ本体１の表裏面の中央に縦溝１６が設けて、ねじ孔２４，２４がこれに臨むものとしておけば硬芯テンションメンバ４１ａの位置決めも容易であるうえ強固に保持できるものである。
【０００９】
また、光ファイバ心線の周囲をビニルで被覆したビニル被覆光ファイバコード４２を入出線させる場合には、クランプ枠部２は光ファイバコード保持用パッキン３を保持可能としているので、図２に右下方に示すようたこ各コードを光ファイバコード保持用パッキン３の保持溝部３ａに嵌合したうえ該光ファイバコード保持用パッキン３をクランプ本体１に添装したうえクランプ枠部２を取り付けつければビニル被覆光ファイバコード４２は入出線箇所で強固に保持されるものである。
【００１０】
また、光ファイバ心線の周囲を軟芯テンションメンバである抗張力繊維で覆ったうえにビニルで被覆した抗張力繊維光ファイバコード４３を入出線させる場合には、図３に示すように抗張力繊維４３ａを２分割して心線４３ｂから離して２個のねじ５３、５３の頸部にそれぞれ巻きつけたうえ該ねじ５３、５３をクランプ本体１の中央部の上方に設けた一対のねじ孔１３、１３に螺合すれば、抗張力繊維光ファイバコード４３はねじ５３の頭部５３ａとクランプ本体１との間に挟持されて入出線箇所で強固に保持されるものである。この場合にねじ５３の頭部５３ａを大径なものとすれば抗張力繊維４３ａはより的確に頭部５３ａとクランプ本体１との間に挟持されるものであり、ねじ孔１３、１３がクランプ本体１の中央部の上方に設けたものであるから、大径の頭部５３ａが光接続箱１００の下方に設けたクランプ本体１の保持段部１００ａに当たることがないので的確に螺合できるものである。
【００１１】
さらに、光ファイバ心線をビニル被覆した側方に細いワイヤをビニルで被覆したビニルテンションメンバを軟芯テンションメンバとしてもうけた所謂ドロップケーブル４４を入出線させる場合には、図４に示すように、２本のビニルテンションメンバ４４ａ、４４ａを心線４４ｂから分離させて、２個のねじ５４、５４に裏面ギザ付きの周縁角型のワッシャ金具５４ａを嵌合したうえクランプ本体１の中央部の下方に設けた一対のねじ孔１４、１４に螺合してワッシャ金具５４ａとクランプ本体１との間に挟持されて入出線箇所で強固に保持されるものである。この場合にねじ孔１４、１４がクランプ本体１の中央部の下方に設けたものであるから、周縁角型のワッシャ金具４４ａは光接続箱１００の下方に設けたクランプ本体１の保持段部１００ａに当たりねじ５４の螺合に伴いない回動することがないので、ビニルテンションメンバ４４ａを巻き込みまれて心線４４ｂを傷つける虞のないものである。このドロップケーブル４４及び前記抗張力繊維光ファイバコード４３を保持させる場合にはクランプ枠部２が不要であるが、硬芯テンションメンバを配した光ファイバケーブル等への変更に対応できるたものとするため、ドロップケーブル４４、前記抗張力繊維光ファイバコード４３を保持後にクランプ枠部２を取り付けておくことが好ましい。
【００１２】
【発明の効果】
以上説明したように、本発明の光接続箱の光ファイバケーブル保持具は、硬芯テンションメンバ用保持部を備えるクランプ枠部をクランプ本体の前面に着脱自在に設けるとともに、該クランプ枠部と前記クランプ本体との間に光ファイバコード保持用パッキンを保持可能としたものであるから、種々の光ファイバケーブル類を光接続箱に入出線する際に的確に保持でいるものであり、部品点数を少なくできるばかりでなく、光ファイバケーブル類の変更にも容易に対応できるものである。
また、クランプ本体に軟芯テンションメンバ用保持部を設けておくことにより、保持可能な光ファイバケーブルの種類をさらに増やすことができるものである。
よって、本発明は従来の光接続箱の光ファイバケーブル保持具の問題点を解決したもので、業界にもたらす益大なものである。
【図面の簡単な説明】
【図１】本発明の実施形態を示す斜視図である。
【図２】本発明の実施形態を態様を異にして示す斜視図である。
【図３】本発明の実施形態を態様を異にして示す要部の斜視図である。
【図４】本発明の実施形態を態様を異にして示す要部の斜視図である。
【図５】従来例を示す斜視図である。
【符号の説明】
１　クランプ本体、１１　ベース板、１２　取付孔、１３　ねじ孔、１４　ねじ孔、２　クランプ枠部、２１　前板部、２４　ねじ孔、３　光ファイバコード保持用パッキン、１００　光接続箱
【図１】
2004012691.tif 000003
【図２】
2004012691.tif 000004
【図３】
2004012691.tif 000005
【図４】
2004012691.tif 000006
【図５】
2004012691.tif 000007